(57)【要約】【課題】高画質の動画像を長時間扱え、しかも写真並みの高解像度の静止画を記録するための撮像装置は、従来は存在しなかった。【解決手段】撮像素子の要部の画素構成部２１はＣＭＯＳで構成されており、水平方向に３８４０個、垂直方向に２１６０個の画素が二次元マトリクス状に配列されており、水平方向に８分割されて８つの分割撮像領域Ａ０〜Ａ７のそれぞれから互いに独立に被写体光像を撮像して光量に応じた電気信号に変換する構成とされている。垂直同期信号駆動部２３は、インターレース駆動回路Ｖｉとプログレッシブ駆動回路Ｖｐとを内蔵しており、外部から供給される制御信号Ｐ／Ｉにより、これら２つの駆動回路Ｖｉ及びＶｐの一方を選択できる構成とされている。ＣＭＯＳセンサ内にインターレース駆動回路Ｖｉとプログレッシブ駆動回路Ｖｐとが組み込まれているため、走査方式の切り替えが容易となっている。【選択図】            図４
2004173023.tif 000002
【特許請求の範囲】
【請求項１】
ＨＤＴＶ画像の２倍以上の画素数の画素を二次元マトリクス状に配列した撮像領域が複数の分割撮像領域に分割され、入射された被写体光像の光量に応じた信号を出力するＣＭＯＳ構成の画素構成部と、
前記画素構成部を構成する前記複数の分割撮像領域を互いに独立して駆動すると共に、インターレース走査及びプログレッシブ走査のうち外部からの制御信号に基づき選択された方の走査方式で前記分割撮像領域を走査する駆動部と、
前記画素構成部から出力された信号に対して、所定の信号処理を行って複数のＨＤＴＶ方式撮像信号を出力する信号処理部と
を有することを特徴とする撮像装置。
【請求項２】
ＨＤＴＶ画像の２倍以上の画素数の画素を二次元マトリクス状に配列した撮像領域が、複数の分割撮像領域に分割され、入射された被写体光像の光量に応じた信号を出力するＣＭＯＳ構成の画素構成部と、
前記画素構成部を構成する前記複数の分割撮像領域を互いに独立して駆動する駆動部と、
出力する撮像信号の１フレーム毎の垂直帰線消去期間のみに被写体光像を前記画素構成部へ入射するメカニカルシャッター機構と、
前記画素構成部から出力された信号に対して、所定の信号処理を行って複数のＨＤＴＶ方式撮像信号を出力する信号処理部と
を有することを特徴とする撮像装置。
【請求項３】
ＨＤＴＶ画像の２倍以上の画素数を有する撮像素子と、出力する撮像信号の１フレーム毎の垂直帰線消去期間のみに被写体光像を前記撮像素子へ入射するメカニカルシャッター機構とを備えた撮像装置と、
前記撮像装置から出力された撮像信号を入力として受け、撮像画像を複数枚連続して記憶し、その複数枚の記憶撮像画像の中から任意の撮像画像を選択する画像選択手段と、
前記画像選択手段により選択された撮像画像を記録媒体及び記録紙の少なくとも一方に記録して電子出版物を得る記録手段と
を有することを特徴とする電子出版システム。
【発明の詳細な説明】
【０００１】
【発明の属する技術分野】
本発明は撮像装置及び電子出版システムに係り、特にハイビジョン等の高精細度テレビ（ＨＤＴＶ）画像の２倍以上の画素数を持つ撮像素子を用いた超高解像度カラーカメラによる撮像装置及び電子出版システムに関する。
【０００２】
【従来の技術】
従来より、ＨＤＴＶ方式カラーカメラを用いた電子出版システムが提案されている（特許文献１参照）。この特許文献１記載の電子出版システムで使用するＨＤＴＶ方式カラーカメラは、画素数１９２０画素（横）×１０３５画素（縦）で日本放送協会が提唱している高精細度テレビジョン方式のカラーカメラである。
【０００３】
このＨＤＴＶ方式カラーカメラによるＡ４サイズ記録紙上の印刷範囲を図７（Ａ）の斜線部Ｉで示す。Ａ４サイズ記録紙は２１０ｍｍ×２９７ｍｍの大きさであり、この記録紙全面に印刷しようとすると、高級印刷の場合、図７（Ａ）、（Ｂ）に示すように１ｍｍあたりの印刷画素数を１２画素とすると２５２０×３５６４画素必要となる。
【０００４】
これに対し、ＨＤＴＶの最大画素数は縦が１０８０（または１０３５）画素であるから、最大１０８０×１９２０画素で表示され、この印刷範囲は９０ｍｍ×１６０ｍｍとなり、図７（Ａ）の斜線部Ｉに示す様に、Ａ４サイズ記録紙の略１／４の大きさである。従って、ＨＤＴＶ画像を用いてＡ４サイズの記録紙上全面に高級印刷に相当する画像を表示することは従来はできない。少なくともＡ４サイズの記録紙上ではＨＤＴＶ画像の２倍以上の画素数が必要なことが図７（Ａ）より判断できる。
【０００５】
また、現在５００万画素前後のデジタルカメラ（ＣＯＯＬＰＩＸ  ５７００、ＦｉｎｅＰｉｘ  Ｓ６０２、ＤｉＭＡＧＥ  ７ｉ、ＣＡＭＥＤＩＡ  Ｅ−２０等）が写真用高画質画像分野に入りつつあるが、これらはいずれも単板ＣＣＤ（電荷転送素子）であり、３板ＣＣＤに比較し解像度が劣化すると共に、瞬間画像を１枚ずつ撮像するのみで、連続画像の撮像には適していない。
【０００６】
そこで、本発明者はＨＤＴＶ画像よりも多い画素数を有する動画カメラを用いた印刷システムを提案した（特許文献２参照）。図７（Ｂ）はこの特許文献２記載の印刷システムを用いた場合の印刷範囲を斜線部ＩＩで示す。同図（Ｂ）から分かるように、上記の印刷範囲ＩＩは、２１６０画素（横）×３８４０画素（縦）であり、実用的にＡ４サイズの記録紙のほぼ全面に印刷できる画素数である。
【０００７】
上記の特許文献２記載の印刷システムでは、高精細カメラで撮像した動画像を４並列のＨＤＴＶ信号として伝送し、これを表示装置で受信して動画像を表示、あるいは記憶装置に動画像の一部分を抽出しこれを静止画として記憶し、この記憶した静止画を印刷装置に送り印刷するようにしている。
【０００８】
しかし、ＨＤＴＶ信号をインターレースモードで用いると、動画の時は表示装置での表示は動きが円滑であるが、フレーム毎の静止画とするとフィールド単位で画像は変化するからフレーム画像は２枚のフィールド画像が合成されて動きのある部分は櫛状の画像となり、実際の画像との間に違和感を生ずる。他方、フィールドのみの静止画では画素数が半減する。
【０００９】
【特許文献１】
特開平５−３２８３０４号公報（第２−３頁、図１）
【特許文献２】
特開２００２−２７１７１８号公報（第２−４頁、図１−図４）
【００１０】
【発明が解決しようとする課題】
ところで、特に、スポーツ・動物等の動画像を撮像し、これから写真並みの高解像度表示を行うことは従来考えられていなかった。写真並みの画像を得ようとすると写真機、デジタルカメラのような静止画を中心とした機材を別に用意する必要がある。しかし、デジタルカメラでは高解像度は得られるが、シャッターを押した一瞬しか画像が得られず、例えばサッカーとか野球の様に長時間の動画を扱うことは不可能である。なお、近年のデジタルカメラは動画も扱えるようになってきたが、その記録時間は短く、解像度を少なくしているのが一般的であり、常に高画質画像を長時間扱うのには向いていない。
【００１１】
そこで、本発明は上記課題を解決するため、超高精細の動画を撮像すると共に、写真並みの静止画像をＡ４サイズ全体に印刷し得る撮像信号を出力する撮像装置及び電子出版システムを提供することを目的とする。
【００１２】
【課題を解決するための手段】
また、上記の目的を達成するため、第１の発明の撮像装置は、ＨＤＴＶ画像の２倍以上の画素数の画素を二次元マトリクス状に配列した撮像領域が複数の分割撮像領域に分割され、入射された被写体光像の光量に応じた信号を出力するＣＭＯＳ構成の画素構成部と、画素構成部を構成する複数の分割撮像領域を互いに独立して駆動すると共に、インターレース走査及びプログレッシブ走査のうち外部からの制御信号に基づき選択された方の走査方式で分割撮像領域を走査する駆動部と、画素構成部から出力された信号に対して、所定の信号処理を行って複数のＨＤＴＶ方式撮像信号を出力する信号処理部とを有する構成としたものである。この発明では、ＨＤＴＶ画像の２倍以上の画素数を有するＣＭＯＳ構成の撮像装置を、インターレース走査又はプログレッシブ走査に設定して撮像信号を得ることができる。
【００１３】
また、上記の目的を達成するため、第２の発明の撮像装置は、ＨＤＴＶ画像の２倍以上の画素数の画素を二次元マトリクス状に配列した撮像領域が、複数の分割撮像領域に分割され、入射された被写体光像の光量に応じた信号を出力するＣＭＯＳ構成の画素構成部と、画素構成部を構成する複数の分割撮像領域を互いに独立して駆動する駆動部と、出力する撮像信号の１フレーム毎の垂直帰線消去期間のみに被写体光像を画素構成部へ入射するメカニカルシャッター機構と、画素構成部から出力された信号に対して、所定の信号処理を行って複数のＨＤＴＶ方式撮像信号を出力する信号処理部とを有する構成としたものである。この発明では、ＨＤＴＶ画像の２倍以上の画素数を有するＣＭＯＳ構成の撮像装置を、インターレース走査及びプログレッシブ走査のいずれに設定したときも、１フレーム毎の垂直帰線消去期間のみに被写体光像を入射するようにしたため、１フレーム分の被写体光像を撮像装置に蓄積できる。
【００１４】
上記の目的を達成するため、第３の発明の電子出版システムは、ＨＤＴＶ画像の２倍以上の画素数を有する撮像素子と、出力する撮像信号の１フレーム毎の垂直帰線消去期間のみに被写体光像を撮像素子へ入射するメカニカルシャッター機構とを備えた撮像装置と、撮像装置から出力された撮像信号を入力として受け、撮像画像を複数枚連続して記憶し、その複数枚の記憶撮像画像の中から任意の撮像画像を選択する画像選択手段と、画像選択手段により選択された撮像画像を記録媒体及び記録紙の少なくとも一方に記録して電子出版物を得る記録手段とを有することを特徴とする。この発明では、１フレーム毎の垂直帰線消去期間のみに被写体光像を入射するようにしたため、１フレーム分の被写体光像を撮像装置に蓄積できる。
【００１５】
【発明の実施の形態】
次に、本発明の各実施の形態を図面を参照して説明する。図１は本発明になる電子出版システムの一実施の形態のブロック図を示す。図１において、撮像装置１１は、後述するように、ＨＤＴＶ画像（ハイビジョン画像）の画素数の２倍以上の画素数を有する高精細撮像素子を有する本発明の撮像装置で、被写体光像を撮像して得たディジタル撮像信号を出力する。
【００１６】
ここで、動画像を表示・録画する場合は、撮像装置１１からのディジタル撮像信号は、ＤａｔａＡとして全画面表示装置１２に供給されて表示されると共に、録画装置１３に供給されて磁気テープ等の記録媒体に録画される。一方、静止画像を印刷する場合は、撮像装置１１からのディジタル撮像信号は、ＤａｔａＢとして複数画選択装置１４に供給され、印刷画像として必要な瞬間の画像が複数枚同時に記憶される。
【００１７】
複数画選択装置１４に記憶された画像信号は、簡易画像表示装置１５に供給されて表示されると共に録画装置１６及び高速印刷装置１７にそれぞれ供給される。これにより、使用者は簡易画像表示装置１５の画面に表示される複数枚の簡易画像を見ながら任意の画像を選択し、選択決定された画像の画像信号を録画装置１６により例えばＣＤ−ＲＯＭに記録するか、高速印刷装置１７で画像印刷物として印刷する。
【００１８】
撮像装置１１は、インターレース走査及びプログレッシブ走査の一方を任意に選択設定できる構成とされており、上記のＤａｔａＡを撮像装置１１から出力する場合は、動画を主体とする場合はインターレース走査に設定されることが望ましい。全画面表示装置１２での動画像表示は、インターレース走査の方が動きが円滑であるからである。他方、上記のＤａｔａＢを撮像装置１１から出力する場合は、複数画選択装置１４からのＰ／Ｉ制御信号に基づいて、撮像装置１１はプログレッシブ走査に固定される。
【００１９】
ここで、インターレース走査及びプログレッシブ走査について図２と共に説明する。周知のように、インターレース走査では図２（Ａ）に示すように、まず実線で示すライン１、３、５、・・・を第１フィールドとして１／６０秒で画面の上から下に走査し、次に点線で示すライン２、４、６、・・・を第２フィールドとして第１フィールドの各ラインの間をやはり上から下に１／６０秒で走査する。
【００２０】
第１フィールドと第２フィールドで１フレームを形成する。これにより、見かけ上は１／６０秒の走査となり、動画像に自然な動きを与える。しかし、１フレーム分の静止画とすると、１／６０秒間隔の画像が２枚重なることになり、動きのある部分は１ライン交互に画像位置のずれた不自然なものとなる。
【００２１】
これに対し、プログレッシブ走査では図２（Ｂ）に実線で示すように、画面の上から順にライン１、２、３、４、・・・と走査し、１フレーム分を１／３０秒で形成する。従って、動画像に対してはやや間隔の長い不自然な動きを感じさせるが、静止画としては連続性があり違和感は無い。
【００２２】
上記のインターレース走査における画像信号の垂直同期信号は、図３（Ａ）に示すように、垂直帰線消去期間ＢＬに対応したローレベルのパルスが１フィールド期間に１回発生し、１フレームに２回発生される信号である。ローレベルの時間間隔は、１フィールド１／６０秒で、１フレームでは１／３０秒である。
【００２３】
周知のように、このインターレース走査時の画像信号は、図３（Ｃ）に示すように、１フィールド毎に１枚の画像を形成するが、ライン数は全画面のライン数の半分であり、次の１フィールドでラインの隙間を埋めて１フレームの画像を完成させる。この時画像が移動すると、１ライン毎に画像が１／６０秒異なった状態となり、これを静止画とすると移動部分は櫛状となる。しかし、動画として見ていれば１／６０秒毎に異なった画像となるから動きの自然な画像となる。
【００２４】
他方、プログレッシブ走査時の画像信号は、図３（Ｄ）に示すように、２フィールドで１枚の画像を完成させる。このとき、インターレース走査時の画像信号と伝送形態を同じとする為に、第１フィールドと第２フィールドの間にＢＬを入れ、再生時に除去する。この場合、１／３０秒で１枚の画像を順次ラインに応じて走査するから、静止画とした場合、移動部分はボケるが櫛状とはならず違和感はない。
【００２５】
画像中の移動部のボケを少なくするには、撮像素子に入る被写体光像の照射時間を短くする。この為に撮像素子の前にメカニカルシャッターを設け、図３（Ｂ）に示すように、垂直帰線消去期間ＢＬのみシャッターを開放し、それ以外の画像読み出し期間はシャッターを遮断すればよい。このメカニカルシャッターを用いる場合はインターレース、プログレッシブどちらでもよいことは図３から明らかである。
【００２６】
次に、図１の撮像装置１１に用いられる高精細撮像素子の構成について説明する。図４は本発明の撮像装置に用いられる高精細撮像素子の一例の構成図を示す。同図において、撮像素子の要部の画素構成部２１はＣＭＯＳで構成されており、水平方向に３８４０（≒４ｋ）個、垂直方向に２１６０（≒２ｋ）個の画素が二次元マトリクス状に配列されており、更に、駆動周波数を低くするために、水平方向に８分割されて８つの分割撮像領域Ａ０〜Ａ７のそれぞれから互いに独立に被写体光像を撮像して光量に応じた電気信号に変換する構成とされている。
【００２７】
従って、分割撮像領域Ａ０〜Ａ７の各々は、水平方向４８０画素、垂直方向２１６０画素であり、水平方向の画素数がＨＤＴＶ画像の１９２０画素の１／４倍であり、垂直方向の画素数が２１６０画素である。また、分割撮像領域Ａ０〜Ａ７は画素構成部２１を水平方向に８分割したもので、垂直方向には分割されておらず、垂直方向は連続して画素に照射された被写体光像の電気信号を出力する。
【００２８】
一方、画素構成部２１の各画素を選択する駆動部は、水平同期信号駆動部２２と垂直同期信号駆動部２３より構成される。水平同期信号駆動部２２は、８つの分割撮像領域Ａ０、Ａ１、・・・、Ａ７に１対１に対応して、８個の水平アドレス回路Ｈａｄ０、Ｈａｄ１、・・・、Ｈａｄ７を有しており、対応する分割撮像領域Ａ０、Ａ１、・・・、Ａ７に対して、同時に読み出しアドレスを出力する。従って、８個の水平アドレス回路Ｈａｄ０、Ｈａｄ１、・・・、Ｈａｄ７の各構成はそれぞれ同一である。
【００２９】
水平同期信号駆動部２２及び垂直同期信号駆動部２３は、共にハイビジョン用（ＨＤＴＶ用）水平同期信号の２倍の周波数とした同期信号２ＨＤと、ハイビジョン用（ＨＤＴＶ用）垂直同期信号ＶＤと、ハイビジョン駆動周波数の半分の周波数３７．１２５ＭＨｚ（＝７４．２５ＭＨｚ／２）のクロック１／２Ｃｌｏｃｋとを入力として受け、水平同期信号駆動部２２の８個の水平アドレス回路Ｈａｄ０、Ｈａｄ１、・・・、Ｈａｄ７からは対応する分割撮像領域Ａ０、Ａ１、・・・、Ａ７に対して、同時に読み出しアドレスが出力され、垂直同期信号駆動部２３からは垂直アドレスＶａｄが形成されて画素構成部２１へ供給される。
【００３０】
また、垂直同期信号駆動部２３は、インターレース駆動回路Ｖｉとプログレッシブ駆動回路Ｖｐとを内蔵しており、外部から供給される制御信号Ｐ／Ｉにより、これら２つの駆動回路Ｖｉ及びＶｐの一方を選択できる構成とされている。制御信号Ｐ／Ｉが例えばハイレベルのときはインターレース駆動回路Ｖｉが選択され、画素構成部２１はインターレース走査方式により駆動され、制御信号Ｐ／Ｉがローレベルのときはプログレッシブ駆動回路Ｖｐが選択され、画素構成部２１はプログレッシブ走査方式により駆動される。
【００３１】
上記の画素構成部２１、水平同期信号駆動部２２、垂直同期信号駆動部２３、ＣＤＳ回路２４は、同一の大規模半導体集積回路（ＬＳＩ）基板上に搭載されており、後述のオフセット／ゲイン回路２５と共に、撮像素子であるＣＭＯＳセンサを構成している。また、この実施の形態では、ＣＭＯＳセンサ内にインターレース駆動回路Ｖｉとプログレッシブ駆動回路Ｖｐとが組み込まれているため、走査方式の切り替えが容易となっている。
【００３２】
次に、この撮像素子の動作について説明する。画素構成部２１を構成する８つの分割撮像領域Ａ０〜Ａ７のそれぞれは、垂直方向は２１６０画素の範囲で連続して、かつ、水平方向はそれぞれ４８０画素の領域で被写体光像の光量に応じた電荷を発生して電気信号に変換し、所定の周波数の垂直同期信号に基づいて、制御信号Ｐ／Ｉで選択された走査方式に従った順番で各画素から得られたアナログ電気信号が並列に同時出力される。
【００３３】
画素構成部２１から８並列出力された電気信号は、図４の相関二重サンプリング（ＣＤＳ：Ｃｏｒｒｅｌａｔｅｄ  Ｄｏｕｂｌｅ  Ｓａｍｐｌｉｎｇ）回路２４に供給される。ＣＤＳ回路２４は、画素構成部２１に被写体光像を照射して得られた電気信号を、その容量に蓄積しておき、この蓄積電気信号と、画素蓄積部２１のリセット直後で被写体光像の蓄積が無い場合の電気信号とを同時に加えて比較し、それらの差分を被写体光像分の電気信号として出力する。これにより、各画素間のばらつきが低減される。
【００３４】
ＣＤＳ回路２４において８並列入力された電気信号は、各々独立に各画素間のばらつきが上記の如くにして低減された後、オフセット／ゲイン回路２５に供給され、ここで外部からのデータによる制御に基づき、画素構成部２１の設計時の標準値を基にして、８つの各分割撮像領域Ａ０〜Ａ７からの各電気信号を別々に測定しながら、それらが一定値となるように、直流成分と利得を制御して揃えた撮像信号が得られる。
【００３５】
オフセット／ゲイン回路２５から並列に取り出された８つの撮像信号は、Ａ／Ｄ変換器２６に供給され、ここで別々にディジタル信号Ｄ０〜Ｄ７に変換された後、図示しないクランプ回路へ出力されてクランプされて撮像素子出力撮像信号として取り出され、更に所定の信号処理回路を通して撮像装置１１の外部へディジタル撮像信号（ＤａｔａＡ又はＤａｔａＢ）として出力される。このディジタル撮像信号（ＤａｔａＡ又はＤａｔａＢ）は、例えば各組１９２０×１０８０画素で、計４組の並列出力ディジタルハイビジョン映像信号の構成とされている。
【００３６】
再び図１に戻って説明する。本実施の形態を電子出版システムとして動作させる場合、プログレッシブ走査方式に設定された撮像装置１１からのディジタル撮像信号は、ＤａｔａＢとして複数画選択装置１４に供給され、印刷画像として必要な瞬間の画像が複数枚同時に記憶され、更に簡易画像表示装置１５に供給されて表示され、前述したように、使用者は簡易画像表示装置１５の画面に表示される複数枚の簡易画像を見ながら任意の画像を選択し、選択決定された画像の画像信号を録画装置１６により例えばＣＤ−ＲＯＭに記録するか、高速印刷装置１７で画像印刷物として印刷する。
【００３７】
これにより、撮像装置１１を例えばイベント会場に設置し、イベント会場でのサッカー、野球、ラグビーその他のスポーツ選手などの動きを被写体として撮像する場合、撮像して得られた複数枚連続の動画像のＤａｔａＢを複数画選択装置１４に記憶し、最も良い瞬間の画像を選択して静止画としてＣＤ−ＲＯＭ等の記録媒体に記録したり、上記の画像印刷物に印刷することができる。これらの印刷済み記録媒体や画像印刷物は、電子出版物としてイベント会場に入れなかった人などに販売される。
【００３８】
ここで、上記のＣＤ−ＲＯＭ等の記録媒体や上記の画像印刷物には、ＨＤＴＶ画像の４倍の画素数の写真並みの高精細の静止画像が、Ａ４サイズの記録紙のほぼ全面の図７（Ｂ）にＩＩで示す範囲内で記録される（なお、図７（Ｂ）は横長の画像を縦長に回転して用紙に記録した例を示す。）。また、この静止画像は、プログレッシブ走査方式により得られた画像であるため、インターレース走査方式に比し、実際の画像と違和感の無い画像が得られる。
【００３９】
また、本実施の形態では、撮像装置１１が撮像素子としてＣＭＯＳセンサを有する構成であるため、撮像素子としてＣＣＤを用いた撮像装置に比べてランダムノイズが少ないという特徴がある。このことについて、更に詳細に説明する。ＣＣＤを用いた撮像装置として、市販されているＨＤＴＶカメラを用い、ＣＭＯＳセンサを有する撮像装置（ＣＭＯＳカメラ）として、試作した図４の構成の撮像装置をＨＤＴＶ画素相当で比較した結果、表１に示す結果が得られた。
【００４０】
【表１】
2004173023.tif 000003
表１に示すように、ＣＣＤカメラであるＨＤＴＶカメラのランダムノイズが、ＣＭＯＳカメラより多いのは電荷転送時に揺らぎ雑音を拾うためで、動画として見ている限り気にならないが、静止画にすると粒状雑音となり目立つ。この粒状雑音を減らす為には複数の撮像信号を加算平均しなければならず、フレーム毎に画像が変化する動画像には効果が無い。
【００４１】
一方、表１からＣＭＯＳカメラの固定パターンノイズがＨＤＴＶカメラよりも多いことが分かるが、固定パターンノイズそのものを記憶して、撮像信号から差し引くことにより、固定パターンノイズは削減され、動画、静止画両方とも目立たなくすることができる。
【００４２】
ＣＣＤカメラとＣＭＯＳカメラとの上記のノイズ比較は”Ｒｏｃｋｗｅｌｌ  ＳｃｉｅｎｔｉｆｉｃＣｏｍｐａｎｙ  ＬＬＣ”のホームページ（ＵＲＬ；ｈｔｔｐ：／／ｗｗｗ．ｒｏｃｋｗｅｌｌｓｃｉｅｎｔｉｆｉｃ．ｃｏｍ／ｈｔｍｌ／ｃｍｏｓ．ｈｔｍｌ）に記載されている、図５（Ａ）、（Ｂ）に示す資料からも明らかである。図５（Ａ）は実測された特性図で、図５（Ｂ）はその解説図を示す。図５（Ｂ）に示すように、３７．１２５ＭＨｚの駆動周波数で、ＣＭＯＳカメラはＣＣＤカメラの１／３以下のノイズであることが証明されており、表１の比較と一致していることが分る。
【００４３】
すなわち、駆動周波数を３７．１２５ＭＨｚに設定すると、ＣＣＤカメラのランダムノイズ６７（−ｅ）に対しＣＭＯＳカメラでは１８（−ｅ）と略１／３以下のランダムノイズである。以上の結果により、画素数の多い超高精細動画カメラを本実施の形態のようにＣＭＯＳセンサで構成することで、ランダムノイズの少ない、従って静止画時に粒状雑音の少ない良い品質の印刷用静止画像を得ることができる。
【００４４】
なお、上記の実施の形態では、撮像装置１１を制御信号Ｐ／Ｉによりプログレッシブ走査方式かインターレース走査方式のいずれかに設定するように説明したが、図６（Ａ）〜（Ｃ）に示す撮像装置３０のメカニカルシャッター３１を用いて、１フレーム毎に、かつ、垂直帰線消去期間ＢＬのみに被写体光像を撮像素子に入射する場合は、ＤａｔａＡ、ＤａｔａＢの区別は特に行わなくとも１フレーム分の静止画が得られるから制御信号Ｐ／Ｉは使用しなくてもよい。
【００４５】
すなわち、メカニカルシャッター３１は、図６（Ｂ）に示すように遮蔽部３１ａの一部に開口部３１ｂが穿設された円盤状の形状であり、図６（Ａ）に示すように、駆動モータ３２により回転される構成とされており、レンズ３３から同図（Ｃ）に示すカメラ筐体３４内の撮像素子に至る被写体光像の光路中に開口部３１ｂ又は遮蔽部３１ａが位置するようにメカニカルシャッター３１が配置されている。
【００４６】
そして、１フレーム毎に、かつ、垂直帰線消去期間ＢＬの間に開口部３１ｂが上記光路中に位置するように、駆動モータ３２によりメカニカルシャッター３１を回転制御することにより、レンズ３３よりの被写体光像を開口部３１ｂを通してカメラ筐体３４内の撮像素子に入射し、それ以外の期間は遮蔽部３１ａにより遮蔽する。これにより、撮像素子には１フレーム分の被写体光像が電荷として蓄積されるため、ＤａｔａＡ、ＤａｔａＢの区別は特に行わなくとも１フレーム分の静止画が得られる。なお、インターレース走査の場合、１フレームに２回垂直帰線消去期間があるが、そのうちの１回のみ被写体光像を撮像素子に入射するようにする。
【００４７】
なお、録画装置１６及び高速印刷装置１７は必ずしも両方設ける必要はなく、どちらか一方だけを設けるようにしてもよい。また、録画装置１６が録画する記録媒体は、ＣＤ−ＲＯＭに限らず、フレキシブルディスク、ＤＶＤ−ＲＯＭその他各種の光ディスク、更には半導体メモリでもよい。
【００４８】
【発明の効果】
以上説明したように、本発明によれば、撮像装置がＣＭＯＳ構成であるため、ＣＣＤ構成の撮像装置に比べてランダムノイズが少なく、高品質の静止画を記録した電子出版物を得ることができる。
【００４９】
また、本発明によれば、撮像装置をプログレッシブ走査状態に設定して印刷物に印刷する場合は、Ａ４サイズのほぼ全面に静止画を印刷することができ、また、撮像装置をインターレース走査状態に設定したときには、プログレッシブ走査の時に比し動きが円滑である動画像を、デジタルカメラに比しはるかに長時間連続記録することもできる。
【００５０】
更に、本発明によれば、ＨＤＴＶ画像の２倍以上の画素数を有する撮像装置をプログレッシブ走査状態に設定して得られた、複数枚の撮像画像の中から任意の撮像画像を選択することにより、記録媒体又は記録紙には高精細で、しかもインターレース走査で得られた静止画に比べて違和感の無い任意の瞬間の画像を記録することができるため、スポーツや動物などの動きのある動画像の中から使用者の好みの瞬間の画像を静止画として選択して写真並みの高画質で記録した電子出版物を得ることができる。
【図面の簡単な説明】
【図１】本発明の電子出版システムの一実施の形態のブロック図である。
【図２】インターレースとプログレッシブの走査状態を説明する図である。
【図３】インターレース走査時とプログレッシブ走査時の垂直同期信号、映像信号等の波形例を示す図である。
【図４】本発明になる撮像装置に用いる撮像素子の一実施の形態の構成図である。
【図５】ＣＣＤカメラとＣＭＯＳカメラのノイズの比較図である。
【図６】本発明になる撮像装置に用いるメカニカルシャッターの一例を示す図である。
【図７】Ａ４サイズの記録紙に対するＨＤＴＶカメラを用いた時と本発明を用いた時の印刷範囲を説明する図である。
【符号の説明】
１１  撮像装置
１２  全画面表示装置
１３、１６  録画装置
１４  複数画選択装置
１５  簡易画像表示装置
１７  高速印刷装置
２１  撮像素子の画素構成部
２２  水平同期信号駆動部
２３  垂直同期信号駆動部
２４  ＣＤＳ回路（相関雑音除去回路）
２５  オフセット／ゲイン制御回路
２６  Ａ／Ｄ変換器
３１  メカニカルシャッター
３１ａ  遮蔽部
３１ｂ  開口部
３２  駆動モータ
【図１】
2004173023.tif 000004
【図２】
2004173023.tif 000005
【図３】
2004173023.tif 000006
【図４】
2004173023.tif 000007
【図５】
2004173023.tif 000008
【図６】
2004173023.tif 000009
【図７】
2004173023.tif 000010